(57)【要約】【課題】  操作性を低下させずに、オペレータの個人認証の精度を向上する。【解決手段】  オペレータ毎に、オペレータ情報及び登録指紋データが互いに関連付けて記憶された個人認証ＤＢ２１と、オペレータの操作により、操作データを入力するマウス１０と、マウスの一部に設けられ、オペレータの指紋を読み取ると、この読み取り結果に基づいて入力指紋データを入力する個体認識部１１と、入力された入力指紋データと個人認証ＤＢ内の各登録指紋データとを照合し、入力指紋データに一致する登録指紋データがあるときには認証完了信号を送出し、無いときにはエラー情報を送出する個体認証部２３と、認証完了信号を受けると、入力された操作データによる操作を許可するヒューマンＩ／Ｆ部２４と、エラー情報を受けると、警報を出力する警報出力部３０とを備えたビル監視装置である。【選択図】  図１
2008059163.tif 000002
【特許請求の範囲】
【請求項１】
複数のオペレータに個別に操作され、ビル内の設備の状態を監視するためのビル監視装置であって、
前記オペレータ毎に、オペレータ情報及び登録指紋データが互いに関連付けて記憶された指紋データ記憶手段と、
オペレータの操作により、操作データを入力する操作データ入力手段と、
前記操作データ入力手段の一部に設けられ、前記オペレータの指紋を読み取ると、この読み取り結果に基づいて入力指紋データを入力する指紋データ入力手段と、
前記指紋データ入力手段から入力された入力指紋データと前記指紋データ記憶手段内の各登録指紋データとを照合し、前記入力指紋データに一致する登録指紋データがあるときには認証完了信号を送出し、前記入力指紋データに一致する登録指紋データが無いときにはエラー情報を送出する指紋認証手段と、
前記認証完了信号を受けると、前記操作データ入力手段から入力された操作データによる操作を許可する操作許可手段と、
前記エラー情報を受けると、警報を出力する警報出力手段と
を備えたことを特徴とするビル監視装置。
【請求項２】
請求項１に記載のビル監視装置において、
前記照合手段は前記認証完了信号と共にオペレータ情報を送出するものであり、
オペレータ情報及び操作データが互いに関連付けて記憶される操作履歴記憶手段と、
前記照合手段から送出されたオペレータ情報と前記操作許可手段に許可された操作データとを互いに関連付けて前記操作履歴記憶手段に書き込む操作履歴書込手段と、
前記照合手段による照合の結果、前記入力指紋データに一致する登録指紋データがあるときで且つ入力された操作データが履歴の表示を示すとき、前記操作履歴記憶手段内のオペレータ情報及び操作データの表示処理を実行する操作履歴表示手段と
を備えたことを特徴とするビル監視装置。
【請求項３】
請求項２に記載のビル監視装置において、
前記指紋データ記憶手段は、前記オペレータ毎に、オペレータ情報、操作データ毎の許可又は禁止を示す操作権情報、及び登録指紋データが互いに関連付けて記憶されており、
前記指紋認証手段は前記認証完了信号及びオペレータ情報と共に操作権情報を送出するものであり、
前記操作許可手段は、前記認証完了信号及びオペレータ情報と共に操作権情報を受けると、この操作権情報が前記操作データによる操作の許可を示すとき、当該操作データによる操作を許可することを特徴とするビル監視装置。
【発明の詳細な説明】
【技術分野】
【０００１】
本発明は、ビル内の各種設備の動作状態を監視して操作・制御するためのビル監視装置に係わり、例えば、操作性を低下させずに、オペレータの個人認証の精度を向上し得るビル監視装置に関する。
【背景技術】
【０００２】
ビルなどの大規模施設においては、電気設備、空調設備、衛生設備などの各種設備が散在しており、各種設備の動作状態を集中的に監視・制御するためのビル監視装置が監視室に配置されている。ビル監視装置は、各種設備の動作状態をモニタ画面に表示し、オペレータにより、集中的に監視・操作し、ビル設備管理の効率の向上を図るものである（例えば、特許文献１参照）。
【０００３】
ここで、ビル監視装置の操作には、ビル全体の運用に重大な影響を及ぼしうる操作も含まれる。また、監視・制御対象が多岐に渡るため、操作に関するセキュリティには十分留意する必要がある。
【０００４】
セキュリティの方策としては、一般に、監視室については関係者以外立ち入り禁止とすることにより、全くの部外者（オペレータ以外の者）に操作されるリスクを回避している。また、ビル監視装置については、一般に、操作キーによるインタロックや、パスワードによる操作権制限などを行うことにより、関係者内の部外者に操作されるリスクを回避している。なお、関係者内の部外者とは、（１）他の設備のオペレータ、及び（２）同じ設備のオペレータのうちの操作権が無いオペレータ、などを意味している。他の設備のオペレータとは、例えば、電気設備のビル監視装置に対する空調設備のオペレータなどのことである。
【０００５】
また、ビル監視装置では、発生した事象と発生時刻を記録する履歴保存機能を実装することにより、事故が発生した場合に経過調査を実施可能となっている。
【特許文献１】特開２００２−２１５２２１号公報
【発明の開示】
【発明が解決しようとする課題】
【０００６】
しかしながら、以上のようなビル監視装置では、オペレータが席を外した際に、インターロックをし忘れる場合や、漏洩したパスワードを部外者に使用される場合も皆無とは言えないため、オペレータの個人認証の精度を向上させる必要がある。これには、例えば、高い頻度でパスワードを入力させる方式が考えられる。しかし、この方式は、通常時にはビル監視装置の操作性を低下させる問題があり、また、事故対応時にはパスワードを入力する分だけ対応が遅れる問題がある。
【０００７】
一方、事故の経過調査を実施する場合には、該当する操作を行ったオペレータを特定することが重要となることもある。この場合、前述した履歴保存機能では、オペレータを特定できず、トレーサビリティ（追跡能力）が低い状況にあるため、各オペレータに聞き取り調査が行われる。しかしながら、聞き取り調査では、オペレータが席を外した際に操作した部外者を特定できないことがある。
【０００８】
なお、以上のような部外者に操作されるリスクは最大限回避できることが好ましい。
【０００９】
本発明は上記実情を考慮してなされたもので、操作性を低下させずに、オペレータの個人認証の精度を向上し得るビル監視装置を提供することを目的とする。
【００１０】
また、本発明の他の目的は、オペレータの操作に関する履歴のトレーサビリティを向上し得るビル監視装置を提供することにある。
【００１１】
さらに、本発明の他の目的は、部外者に操作されるリスクを最大限回避し得るビル監視装置を提供することにある。
【課題を解決するための手段】
【００１２】
第１の発明は、複数のオペレータに個別に操作され、ビル内の設備の状態を監視するためのビル監視装置であって、前記オペレータ毎に、オペレータ情報及び登録指紋データが互いに関連付けて記憶された指紋データ記憶手段と、オペレータの操作により、操作データを入力する操作データ入力手段と、前記操作データ入力手段の一部に設けられ、前記オペレータの指紋を読み取ると、この読み取り結果に基づいて入力指紋データを入力する指紋データ入力手段と、前記指紋データ入力手段から入力された入力指紋データと前記指紋データ記憶手段内の各登録指紋データとを照合し、前記入力指紋データに一致する登録指紋データがあるときには認証完了信号を送出し、前記入力指紋データに一致する登録指紋データが無いときにはエラー情報を送出する指紋認証手段と、前記認証完了信号を受けると、前記操作データ入力手段から入力された操作データによる操作を許可する操作許可手段と、前記エラー情報を受けると、警報を出力する警報出力手段とを備えたビル監視装置である。
【００１３】
第２の発明は、第１の発明に対応するビル監視装置において、前記照合手段は前記認証完了信号と共にオペレータ情報を送出するものであり、オペレータ情報及び操作データが互いに関連付けて記憶される操作履歴記憶手段と、前記照合手段から送出されたオペレータ情報と前記操作許可手段に許可された操作データとを互いに関連付けて前記操作履歴記憶手段に書き込む操作履歴書込手段と、前記照合手段による照合の結果、前記入力指紋データに一致する登録指紋データがあるときで且つ入力された操作データが履歴の表示を示すとき、前記操作履歴記憶手段内のオペレータ情報及び操作データの表示処理を実行する操作履歴表示手段とを備えたビル監視装置である。
【００１４】
第３の発明は、第２の発明に対応するビル監視装置において、前記指紋データ記憶手段は、前記オペレータ毎に、オペレータ情報、操作データ毎の許可又は禁止を示す操作権情報、及び登録指紋データが互いに関連付けて記憶されており、前記指紋認証手段は前記認証完了信号及びオペレータ情報と共に操作権情報を送出するものであり、前記操作許可手段は、前記認証完了信号及びオペレータ情報と共に操作権情報を受けると、この操作権情報が前記操作データによる操作の許可を示すとき、当該操作データによる操作を許可するビル監視装置である。
【００１５】
（作用）
第１の発明では、オペレータの操作の際に、入力指紋データに基づいてオペレータを認証するので、操作性を低下させずに、オペレータの個人認証の精度を向上することができる。
【００１６】
第２の発明では、オペレータ情報と操作データとを操作履歴記憶手段に記憶しておき、入力された操作データが履歴の表示を示すときには操作履歴記憶手段内のオペレータ情報及び操作データの表示処理を実行するので、第１の発明の作用に加え、オペレータの操作に関する履歴のトレーサビリティを向上させることができる。
【００１７】
第３の発明では、オペレータ毎に、オペレータ情報、操作データ毎の操作権情報及び登録指紋データを記憶しておき、オペレータ毎の指紋認証に加え、操作データ毎に操作を許可するので、第２の発明の作用に加え、部外者に操作されるリスクを最大限回避することができる。
【発明の効果】
【００１８】
以上説明したように本発明によれば、操作性を低下させずに、オペレータの個人認証の精度を向上できる。また、オペレータの操作に関する履歴のトレーサビリティを向上できる。さらに、部外者に操作されるリスクを最大限回避できる。
【発明を実施するための最良の形態】
【００１９】
以下、本発明の各実施形態を図面を用いて説明する。なお、以下の各装置は、各装置毎に、ハードウェア構成、又はハードウェア資源とソフトウェアとの組合せ構成のいずれでも実施可能となっている。組合せ構成のソフトウェアとしては、予めネットワーク又は記憶媒体から対応する装置のコンピュータにインストールされ、対応する装置の機能を実現させるためのプログラムが用いられる。
【００２０】
（第１の実施形態）
図１は本発明の第１の実施形態に係るビル監視装置及びその周辺構成を示す模式図である。このビル監視装置は、設備監視用のセンサ１及び設備の制御対象２を含むビル内設備３に通信可能に接続されている。具体的には、ビル監視装置は、入力装置としてのマウス１０、装置本体２０、警報出力部３０及び表示部４０を備えている。
【００２１】
ここで、ビル内設備３は、ビル内に散在した電気設備、空調設備、衛生設備などの各種設備を意味している。センサ１は、各種設備の状態検出手段（例、ビル内の監視カメラ、電気設備の電力量計、空調設備の温度計、衛生設備（貯水槽など）の塩素濃度計など）が適用可能となっている。制御対象２は、センサ１に対応したものであり、例えば、監視カメラの駆動機構、電気設備の各種スイッチ、空調設備のファン、衛生設備のポンプなどが適用可能となっている。
【００２２】
マウス（操作データ入力手段）１０は、オペレータの操作により、マウス操作データを装置本体２０の入力装置インターフェイス（Ｉ／Ｆ）部２２に入力するものであり、オペレータの指紋を読み取るための個体認識部１１を備えている。なお、マウス１０は入力装置の一例であり、マウス１０に代えて、個体認識部を有する他の入力装置（例、キーボード、タッチパネル等）を用いてもよい。
【００２３】
個体認識部（指紋データ入力手段）１１は、マウス１０の一部に設けられ、マウス１０を操作しようとするオペレータの指紋を読み取ると、この読み取り結果に基づいて入力指紋データを装置本体２０の入力装置Ｉ／Ｆ部２２に入力する機能をもっている。
【００２４】
一方、装置本体２０は、個人認証データベース（ＤＢ）２１、入力装置Ｉ／Ｆ部２２、個体認証部２３、ヒューマンインターフェイス（Ｉ／Ｆ）部２４、監視制御部２５及び表示処理部２６を備えている。
【００２５】
個人認証ＤＢ（指紋データ記憶手段）２１は、個体認証部２３から読出可能な記憶装置であり、オペレータ毎にオペレータ情報及び登録指紋データが互いに関連付けて記憶されている。ここで、オペレータ情報としては、オペレータ名データを用いている。但し、オペレータ情報としては、オペレータ名データに限らず、オペレータを特定可能な情報であればよいので、例えばオペレータの社員番号データなどを用いてもよい。
【００２６】
入力装置Ｉ／Ｆ部２２は、個体認識部１１から入力された入力指紋データを個体認証部２３に送出する機能と、マウス１０から入力されたマウス操作データをヒューマンＩ／Ｆ部２４に送出する機能とをもっている。
【００２７】
個体認証部２３は、入力装置Ｉ／Ｆ部２２から送出された入力指紋データと個人認証ＤＢ２１内の各登録指紋データとを照合する機能と、入力指紋データに一致する登録指紋データがあるときには認証完了信号をヒューマンＩ／Ｆ部２４に送出する機能と、入力指紋データに一致する登録指紋データが無いときにはエラー情報を、ヒューマンＩ／Ｆ部２４、警報出力部３０及び表示処理部２６に送出する機能とをもっている。
【００２８】
ヒューマンＩ／Ｆ部（操作許可手段）２４は、個体認証部２３から認証完了信号を受けると、入力装置Ｉ／Ｆ部２２から入力されたマウス操作データによる操作を許可し、当該マウス操作データを監視制御部２５に送出する機能と、個体認証部２３からエラー情報を受けると、入力装置Ｉ／Ｆ部２２から入力されたマウス操作データによる操作を禁止する機能とをもっている。
【００２９】
監視制御部２５は、センサ１から受ける監視信号に基づいて監視情報を表示処理部２６に送出する機能と、センサ１から受ける監視信号、ヒューマンＩ／Ｆ部２４から受けるマウス操作データ及び予め設定された制御プログラムに基づいて、得られた制御信号を制御対象２に出力する機能と、この制御信号に対応する制御情報を表示処理部２６に送出する機能をもっている。
【００３０】
表示処理部２６は、監視制御部２５から受けた監視情報及び制御情報に基づいて監視制御画面を表示するための表示信号を表示部４０に出力する機能と、個体認証部２３からエラー情報を受けると、前述した表示信号に代えて、エラー情報画面を表示するための表示信号を表示部４０に出力する機能をもっている。
【００３１】
警報出力部３０は、個体認証部２３からエラー情報を受信した場合に警報音を出力するものである。
【００３２】
表示部４０は、表示処理部２６から受けた表示信号に基づいて、監視制御画面又はエラー情報画面を表示するものである。
【００３３】
次に、以上のように構成されたビル監視装置の動作を図２のフローチャートを用いて説明する。
【００３４】
いま、個人認証ＤＢ２１には、予めオペレータ毎に、オペレータ名データ及び登録指紋データが記憶されている。この登録指紋データは、登録の際に、個体認証部２３から読み取られたものである。
【００３５】
また、監視制御部２５は、センサ１から受ける監視信号に基づいて監視情報を表示処理部２６に送出すると共に、センサ１から受ける監視信号及び予め設定された制御プログラムに基づいて制御信号を制御対象２に出力し、制御信号に対応する制御情報を表示処理部２６に送出している。
【００３６】
表示処理部２６は、これら監視情報及び制御情報に基づいて監視制御画面の表示信号を表示部４０に出力し、表示部４０はこの表示信号に基づく監視制御画面を表示している。
【００３７】
このような状態において、オペレータがビル監視装置のマウス１０を操作したとする。
【００３８】
マウス１０は、オペレータの手が置かれて操作されると（ＳＴ１）、個体認識部１１がオペレータの指紋を読み取って入力指紋データを入力装置Ｉ／Ｆ部２２に入力すると共に、マウス操作データを入力装置Ｉ／Ｆ部２２に入力する。
【００３９】
入力装置Ｉ／Ｆ部２２は、マウス操作データをヒューマンＩ／Ｆ部２４に送出すると共に、入力指紋データを個体認証部２３に送出する（ＳＴ２）。
【００４０】
個体認証部２３は、この入力指紋データと、個人認証ＤＢ２１内の各登録指紋データとを照合し（ＳＴ３）、入力指紋データに一致する登録指紋データがあるか否かを判定する（ＳＴ４）。
【００４１】
ステップＳＴ４の判定の結果、入力指紋データに一致する登録指紋データが無いときには（ＳＴ４；ＮＯ：部外者による操作の場合）、個体認証部２３はエラー情報を警報出力部３０、表示処理部２６及びヒューマンＩ／Ｆ部２４に送出し（ＳＴ５）、警報出力部３０はエラー情報により警報音を出力する（ＳＴ６）。
【００４２】
表示処理部２６は、エラー情報を受けると、監視制御画面の表示信号に代えて、エラー情報画面の表示信号を表示部４０に出力し、表示部４０は、この表示信号に基づいてエラー情報画面を表示する。また、ヒューマンＩ／Ｆ部２４は、個体認証部２３からエラー情報を受けたため、マウス操作データによる操作を禁止する。
【００４３】
一方、ステップＳＴ４の判定の結果、入力指紋データに一致する登録指紋データがあるときには（ＳＴ４；ＹＥＳ：正規のオペレータによる操作の場合）、個体認証部２３は認証完了信号をヒューマンＩ／Ｆ部２４に送出する（ＳＴ７）。
【００４４】
ヒューマンＩ／Ｆ部２４は、認証完了信号を受けると、マウス操作があるか否かを判定し（ＳＴ８）、マウス操作が無い場合にはステップＳＴ１に戻る（ＳＴ８；ＮＯ）。但し、ここではステップＳＴ２でマウス操作データを受けているので（ＳＴ８；ＹＥＳ）、このマウス操作データによる操作を許可し、当該マウス操作データを監視制御部２５に送出する。
【００４５】
監視制御部２５は、センサ１から受ける監視信号、ヒューマンＩ／Ｆ部２４から受けるマウス操作データ及び予め設定された制御プログラムに基づく処理を実行し（ＳＴ９）、得られた制御信号を制御対象２に出力し、この制御信号に対応する制御情報を表示処理部２６に送出する。
【００４６】
表示処理部２６は、この制御情報に基づいて監視制御画面の表示信号を表示部４０に出力し、表示部４０は、この表示信号に基づく監視制御画面を表示する。
【００４７】
上述したように本実施形態によれば、オペレータの操作の際に、入力指紋データに基づいてオペレータを認証するので、操作性を低下させずに、オペレータの個人認証の精度を向上することができる。
【００４８】
詳しくは、オペレータがマウス操作を行う際に自動的に個人認証を実行するため、個人認証を短時間で確実に実行でき、さらに、パスワードを手入力する方式とは異なり、入力ミスやパスワード失念による認証エラーを無くすことができる。また、登録外の人間による操作があった場合、この操作を高い精度で拒絶し、監視制御画面を表示せず、警報を即時に出力するため、システムのセキュリティを向上させることができる。
【００４９】
（第２の実施形態）
図３は本発明の第２の実施形態に係るビル監視装置及びその周辺構成を示す模式図であり、図１と同一部分には同一符号を付してその詳しい説明を省略し、ここでは異なる部分について主に述べる。なお、以下の各実施形態も同様にして重複した説明を省略する。
【００５０】
すなわち、本実施形態は、第１の実施形態の変形例であり、事故調査時などのトレーサビリティの向上を図るものであり、具体的には、図１に示した構成に対し、履歴管理部２７及び履歴データベース（ＤＢ）２８を更に備えている。
【００５１】
これに伴い、個体認証部２３は、前述した機能に加え、認証完了信号と共にオペレータ名データをヒューマンＩ／Ｆ部２４に送出する機能をもっている。
【００５２】
ヒューマンＩ／Ｆ部２４は、前述した機能に加え、個体認証部２３から認証完了信号及びオペレータ名データを受けると、このオペレータ名データ及び入力装置Ｉ／Ｆ部２２から受けたマウス操作データを履歴管理部２７に送出する機能と、個体認証部２３からエラー情報を受けると、このエラー情報及び入力装置Ｉ／Ｆ部２２から受けたマウス操作データを履歴管理部２７に送出する機能とをもっている。
【００５３】
履歴管理部（操作履歴書込手段、操作履歴表示手段の一部）２７は、ヒューマンＩ／Ｆ部２４から受けたオペレータ名データ及びマウス操作データを互いに関連付けて日時データを付加した履歴データを履歴ＤＢ２８に書き込む機能と、この「オペレータ名データ及びマウス操作データ」とは別に、履歴の表示を示すマウス操作データをヒューマンＩ／Ｆ部２４から受けたとき（個体認証部２３による照合の結果、入力指紋データに一致する登録指紋データがあるときで且つ入力された操作データが履歴の表示を示すとき）、履歴ＤＢ２８内の履歴データを表示処理部２６に送出する機能とをもっている。
【００５４】
また、履歴管理部２７は、ヒューマンＩ／Ｆ部２４から受けたエラー情報及びマウス操作データを互いに関連付けて日時データを付加した履歴データを履歴ＤＢ２８に書き込む機能をもっている。
【００５５】
これらに伴い、表示処理部（操作履歴表示手段の一部）２６は、前述した機能に加え、履歴管理部２７から受けた履歴データに基づいて履歴表示画面を表示するための表示処理を実行し、当該履歴表示画面を表示するための表示信号を表示部４０に出力する機能が付加されている。表示部４０は、前述した監視制御画面又はエラー情報画面に加え、表示処理部２６から受けた表示信号に基づいて履歴表示画面を表示するものとなる。
【００５６】
履歴ＤＢ２８は、履歴管理部２７から読出／書込可能な記憶装置であり、図４に示すように、正規のオペレータの操作時にはオペレータ名データ（オペレータ情報）及びマウス操作データが互いに関連付けて記憶されるものであり、部外者の操作時にはマウス操作データ及びエラー情報が互いに関連付けて記憶される。
【００５７】
次に、以上のように構成されたビル監視装置の動作を図５のフローチャートを用いて説明する。
【００５８】
いま、前述同様に、ステップＳＴ１〜ＳＴ９が実行されたとする。但し、個体認証部２３は、ステップＳＴ７において、認証完了信号と共にオペレータ名データをヒューマンＩ／Ｆ部２４に送出するものとする。
【００５９】
ここで、ステップＳＴ９の後、ヒューマンＩ／Ｆ部２４は、許可したマウス操作データ及びオペレータ名データを履歴管理部２７に送出する（ＳＴ１０）。なお、ステップＳＴ７ではなく、ステップＳＴ５が実行され、個体認証部２３からエラー情報がヒューマンＩ／Ｆ部２４等に送出された場合には、ヒューマンＩ／Ｆ部２４は、このエラー情報及び入力装置Ｉ／Ｆ部２２から受けたマウス操作データを履歴管理部２７に送出する。
【００６０】
履歴管理部２７は、オペレータ名データ（又はエラー情報）及びマウス操作データとを互いに関連付けて日時データを付加した履歴データを履歴ＤＢ２８に保存する（ＳＴ１１）。
【００６１】
以後、履歴管理部２７は、履歴の表示を示すマウス操作データをヒューマンＩ／Ｆ部２４から受けたとき、履歴ＤＢ２８内の履歴データを表示処理部２６に送出する。
【００６２】
表示処理部２６は、この履歴データに基づく履歴表示画面の表示信号を表示部４０に出力する。表示部４０は、この表示信号に基づいて履歴表示画面を表示する。
【００６３】
上述したように本実施形態によれば、オペレータ名データ（又はエラー情報）及びマウス操作データに日時データを付加した履歴データを履歴ＤＢ２８に記憶しておき、入力されたマウス操作データが履歴の表示を示すときには履歴ＤＢ２８内の履歴データの表示処理を実行するので、第１の実施形態の効果に加え、オペレータの操作に関する履歴のトレーサビリティを向上させることができる。
【００６４】
補足すると、オペレータの操作履歴を保存する構成により、どの操作をどのオペレータが行ったかが履歴ＤＢ２８から確認できるため、過去に発生した事象を調査する際のトレーサビリティを向上させることができる。また、警報（エラー）の発生履歴を保存する構成により、どの操作を部外者が行おうとしたかが履歴ＤＢ２８から確認できるため、操作を行おうとした部外者の意図を探ることができる。
【００６５】
（第３の実施形態）
図６は本発明の第３の実施形態に係るビル監視装置及びその周辺構成を示す模式図である。
【００６６】
本実施形態は、第２の実施形態の変形例であり、各オペレータのマウス操作データ毎に、操作権を設定可能なものであり、具体的には、図３に示した構成において、個人認証ＤＢ２１、個体認証部２３、ヒューマンＩ／Ｆ部２４、履歴管理部２７及び履歴ＤＢ２８の機能が操作権情報に関して拡張されている。
【００６７】
例えば個人認証ＤＢ２１は、前述した記憶装置において、オペレータ毎に、オペレータ名データ、操作データ毎の許可又は禁止を示す操作権情報、及び登録指紋データが互いに関連付けて記憶されている。
【００６８】
個体認証部２３は、前述した機能に加え、認証完了信号及びオペレータ名データと共に操作権情報をヒューマンＩ／Ｆ部２４に送出する機能をもっている。
【００６９】
ヒューマンＩ／Ｆ部２４は、前述した機能に加え、個体認証部２３から認証完了信号及びオペレータ名データと共に操作権情報を受けると、この操作権情報がマウス操作データによる操作の許可を示すとき、当該マウス操作データによる操作を許可する機能をもっている。また、ヒューマンＩ／Ｆ部２４は、個体認証部２３から認証完了信号及びオペレータ名データと共に操作権情報を受けると、この操作権情報がマウス操作データによる操作の禁止を示すとき、当該マウス操作データによる操作を禁止する機能と、マウス操作データ、オペレータ名データ及びエラー情報（操作権なし）を履歴管理部２７及び表示処理部２６に送出する機能をもっている。
【００７０】
表示処理部２６は、前述した機能に加え、ヒューマンＩ／Ｆ部２４から受けたマウス操作データ、オペレータ名データ及びエラー情報（操作権なし）を表示するための表示信号を表示部４０に出力する機能をもっている。表示部４０は、この表示信号に基づいて、エラー情報画面を表示する機能をもっている。
【００７１】
履歴管理部２７は、前述した機能に加え、ヒューマンＩ／Ｆ部２４から受けたマウス操作データ、オペレータ名データ及びエラー情報（操作権なし）を互いに関連付けて日時データを付加した履歴データを履歴ＤＢ２８に書き込む機能をもっている。
【００７２】
履歴ＤＢ２８は、履歴管理部２７から読出／書込可能な記憶装置であり、前述した記憶内容に加え、正規のオペレータで且つ部外者（操作権の無いオペレータ）の操作時に、図７に示すように、日時データ、マウス操作データ、オペレータ名データ及びエラー情報が互いに関連付けて記憶される場合がある。詳しくは、前述した操作権情報による認証に伴い、正規のオペレータによるエラー情報（操作権なし）が記憶される場合がある。
【００７３】
次に、以上のように構成されたビル監視装置の動作を図８のフローチャートを用いて説明する。
【００７４】
いま、前述同様に、ステップＳＴ１〜ＳＴ８が実行され、マウス操作データを受けているとする（ＳＴ８；ＹＥＳ）。
【００７５】
次に、ヒューマンＩ／Ｆ部２４は、個体認証部２３から認証完了信号及びオペレータ名データと共に操作権情報を受けると、この操作権情報に基づいて、入力装置Ｉ／Ｆ部２２から受けたマウス操作データの操作権が許可を示すか否（＝禁止を示す）かを判定する（ＳＴ９−１）。
【００７６】
ここで、操作権情報がマウス操作データによる操作の禁止を示すとき（ＳＴ９−１；ＮＯ）、ヒューマンＩ／Ｆ部２４は、当該マウス操作データによる操作を拒否（禁止）し（ＳＴ９−２）、マウス操作データ、オペレータ名データ及びエラー情報（操作権なし）を表示処理部２６及び履歴管理部２７に送出する。
【００７７】
表示処理部２６は、これらマウス操作データ、オペレータ名データ及びエラー情報（操作権なし）の表示信号を表示部４０に出力し、表示部４０は、この表示信号に基づいてエラー情報画面を表示する（ＳＴ９−３）。
【００７８】
また、履歴管理部２７は、ヒューマンＩ／Ｆ部２４から受けたマウス操作データ、オペレータ名データ及びエラー情報（操作権なし）を互いに関連付けて日時データを付加した履歴データを履歴ＤＢ２８に書き込む。
【００７９】
一方、ステップＳＴ９−１の判定の結果、操作権情報がマウス操作データによる操作の許可を示すとき（ＳＴ９−１；ＹＥＳ）、ヒューマンＩ／Ｆ部２４は、当該マウス操作データによる操作を許可し、当該マウス操作データを監視制御部２５に送出する。
【００８０】
監視制御部２５は、センサ１から受ける監視信号、ヒューマンＩ／Ｆ部２４から受けるマウス操作データ及び予め設定された制御プログラムに基づく処理を実行し（ＳＴ９−４）、得られた制御信号を制御対象２に出力し、この制御信号に対応する制御情報を表示処理部２６に送出する。
【００８１】
表示処理部２６は、この制御情報に基づいて監視制御画面の表示信号を表示部４０に出力し、表示部４０は、この表示信号に基づく監視制御画面を表示する。
【００８２】
また、ステップＳＴ９−４の後、ヒューマンＩ／Ｆ部２４は、許可したマウス操作データ及びオペレータ名データを履歴管理部２７に送出する（ＳＴ１０）。
【００８３】
履歴管理部２７は、オペレータ名データ及びマウス操作データとを互いに関連付けて日時データを付加した履歴データを履歴ＤＢ２８に保存する（ＳＴ１１）。
【００８４】
以後、履歴管理部２７は、履歴の表示を示すマウス操作データをヒューマンＩ／Ｆ部２４から受けたとき、履歴ＤＢ２８内の履歴データを表示処理部２６に送出する。
【００８５】
表示処理部２６は、この履歴データに基づく履歴表示画面の表示信号を表示部４０に出力する。表示部４０は、この表示信号に基づいて履歴表示画面を表示する。
【００８６】
上述したように本実施形態によれば、オペレータ毎に、オペレータ情報、操作データ毎の操作権情報及び登録指紋データを個人認証ＤＢ２１に記憶しておき、オペレータ毎の指紋認証に加え、操作データ毎に操作を許可又は拒否（禁止）するので、第２の実施形態の効果に加え、部外者に操作されるリスクを最大限回避することができる。
【００８７】
補足すると、本実施形態では、全くの部外者（オペレータ以外の者）や監視室に入室可能な程度の関係者内の部外者（他の設備のオペレータ）に操作されるリスクを回避できることに加え、操作データ毎に操作を許可又は拒否（禁止）する構成により、より近い関係者内の部外者（同じ設備のオペレータのうちの操作権が無いオペレータ）に操作されるリスクをも回避することができる。すなわち、部外者に操作されるリスクを最大限回避できる。
【００８８】
また、オペレータがマウス操作を行う際に自動的に操作権設定が行われるため、認証を短時間で行うことができるだけでなく、操作権の設定を、オペレータ単位で柔軟に設定・運用することができる。
【００８９】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００９０】
【図１】本発明の第１の実施形態に係るビル監視装置及びその周辺構成を示す模式図である。
【図２】同実施形態における動作を説明するためのフローチャートである。
【図３】本発明の第２の実施形態に係るビル監視装置及びその周辺構成を示す模式図である。
【図４】同実施形態における履歴ＤＢの構成を示す模式図である。
【図５】同実施形態における動作を説明するためのフローチャートである。
【図６】本発明の第２の実施形態に係るビル監視装置及びその周辺構成を示す模式図である。
【図７】同実施形態における履歴ＤＢの構成を示す模式図である。
【図８】同実施形態における動作を説明するためのフローチャートである。
【符号の説明】
【００９１】
１…センサ、２…制御対象、３…ビル内設備、１０…マウス、１１…個体認識部、２０…装置本体、２１…個人認証ＤＢ、２２…入力装置Ｉ／Ｆ部、２３…個体認証部、２４…ヒューマンＩ／Ｆ部、２５…監視制御部、２６…表示処理部、２７…履歴管理部、２８…履歴ＤＢ、３０…警報出力部、４０…表示部。
【図１】
2008059163.tif 000003
【図２】
2008059163.tif 000004
【図３】
2008059163.tif 000005
【図４】
2008059163.tif 000006
【図５】
2008059163.tif 000007
【図６】
2008059163.tif 000008
【図７】
2008059163.tif 000009
【図８】
2008059163.tif 000010